(57)【特許請求の範囲】
【請求項１】
ピアノ下部に設けられた本体ペダル上に覆設されて演奏時のペダル動作を調整する補助ペダルが備えられたピアノ補助ペダル装置であって、
前記本体ペダルの上面にそのスライド支持軸下端が当接する前記補助ペダルを上下動自在に支持する足置台と、
前記足置台を所定高さに設定する昇降機構を有した本体ベース部と、
前記足置台の前方枠内壁に進退可能に設けられ前記本体ペダルの先端に当接される可動プレートと、
前記可動プレートをピアノ前後方向に所定距離突出復帰させてその突出位置及び復帰位置で固定するプレート位置決め機構と、
を備えたことを特徴とするピアノ補助ペダル装置。
【請求項２】
前記可動プレートは略矩形板状に形成された左右一対の板バネ部材であって、
その板バネ部材のそれぞれの水平方向の内端側が前記足置台の前方枠に固定され、
その外端側が自由端となって突出自在に設けられていることを特徴とする請求項１に記載のピアノ補助ペダル装置。
【請求項３】
前記補助ペダルのスライド支持軸を弾性支持する前記足置台には、前記スライド支持軸の上下動における弾性力を調整する弾性力調整機構と、
前記補助ペダルのスライド支持軸下端と前記本体ペダル上面と間に所定の遊び間隔を設定する遊び間隔調整機構と、
が設けられていることを特徴とする請求項１又は２に記載のピアノ補助ペダル装置。
【請求項４】
前記足置台には前記本体ペダルと前記補助ペダルとの当接状態を視認可能に形成された透明パネル部が設けられていることを特徴とする請求項１〜３のいずれかに記載のピアノ補助ペダル装置。
【発明の詳細な説明】
【技術分野】
【０００１】
本発明は、ピアノ演奏者が操作することが困難なペダルに対して、補助ペダルを設けることによってそのペダル操作を可能にしたピアノ補助ペダル装置に関する。
【背景技術】
【０００２】
従来、ピアノ本体の下部には、ピアノ音を持続させるためのラウドペダル、押鍵した鍵盤のピアノ音を離鍵後も持続させるサスタニングペダル、およびピアノ音を和らげるソフトペダルなどのペダルが設けられており、演奏者がこのペダルを演奏中に踏むことによりそれに対応したペダル効果が得られるようになっている。
このようなペダルは、ピアノ本体底部に設置部を設け、この設置部から前述した３種類のラウドペダル、サスタニングペダル、ソフトペダルを突出させて設けられている。これらのペダルは、平均的身長の大人が演奏する場合の操作しやすさを考慮して、床面から約３０〜７０ｍｍ程度の範囲に設置されている。このため、幼児などが演奏する場合には、ペダルに足が届かず、その操作を行えないという不具合があった。
【０００３】
そこで従来、このピアノ本体に設けられた本体ペダルにかさ上げをしてペダル操作を可能にするための補助ペダル装置が用いられている。この種の補助ペダル装置は、全体がほぼ箱状に形成された足置台に補助ペダルを取り付け、この補助ペダルの下面に上端が当接するプッシュロッドを、スプリングを介して取り付けたものなどである。このプッシュロッドの下端がピアノペダルの上面に当接して配置され、補助ペダルを踏むとスプリングの付勢に抗してプッシュロッドが降下してピアノペダルが補助ペダルに連動するようになっている。
例えば、特許文献１には、足置板の上面突出部に補助ペダルが枢着され、その補助ペダルの下面に上端面が当接するとともにピアノペダルの上面に下端面が当接する管棒を設け、その軸受カラーに嵌合して上下動自在に支持される管棒に圧縮コイルばねを巻装するようにしたピアノ演奏用補助ペダルが記載されている。
【特許文献１】実用新案登録第３０７２６９８号公報
【発明の開示】
【発明が解決しようとする課題】
【０００４】
しかしながら、上述した従来の補助ペダル装置では、ピアノ本体にピアノ補助ペダル装置を配置するたびごとに、ピアノの本体ペダルと補助ペダルとの相対的位置がずれてしまうことがあった。このために、演奏の都度ペダルの操作感が微妙に変化して、演奏者によるピアノ演奏に違和感を与える可能性があるという問題点があった。
【０００５】
また、補助ペダルに連動する作動軸を介してピアノの本体ペダルを押圧するので、この作動軸と本体ペダルとの位置関係が維持されるように補助ペダル装置を配設しなければならないが、該装置をピアノ本体にセットするたびごとに、初期位置が変わる可能性があり、これによって、ペダル動作が変動するおそれがあった。さらに、幼児などの演奏者の身長に応じてピアノ補助ペダル装置の高さなどは調節されるが、補助ペダルと本体ペダルとの相対位置関係によっては、補助ペダルを踏み込む角度が適正でないために、その摩擦力が大きくなって幼児などではその操作に負担がかかる場合があった。
【０００６】
本発明は前記従来の課題を解決するためになされたもので、ピアノ補助ペダル装置を配置する際にピアノの本体ペダルと補助ペダルとの相対的位置関係を確実に設定することができ、演奏者によるペダル操作を快適に行えるとともに、補助ペダルの踏み込み操作を容易にして、幼児などがピアノ演奏を楽しむことのできるピアノ補助ペダル装置を提供することを目的とする。
【課題を解決するための手段】
【０００７】
（１）本発明は、ピアノ下部に設けられた本体ペダル上に覆設されて演奏時のペダル動作を調整する補助ペダルが備えられたピアノ補助ペダル装置であって、前記本体ペダルの上面にそのスライド支持軸下端が当接する前記補助ペダルを上下動自在に支持する足置台と、前記足置台を所定高さに設定する昇降機構を有した本体ベース部と、前記足置台の前方枠内壁に進退可能に設けられ前記本体ペダルの先端に当接される可動プレートと、前記可動プレートをピアノ前後方向に所定距離突出復帰させてその突出位置及び復帰位置で固定するプレート位置決め機構と、を備えるように構成されていることを特徴とする。
【０００８】
（２）本発明は前記（１）記載のピアノ補助ペダル装置において、前記可動プレートは略矩形板状に形成された左右一対の板バネ部材であって、その板バネ部材のそれぞれの水平方向の内端側が前記足置台の前方枠に固定され、その外端側が自由端となって突出自在に設けられていることを特徴とする。
【０００９】
（３）本発明は前記（１）又は（２）のピアノ補助ペダル装置において、前記補助ペダルのスライド支持軸を弾性支持する前記足置台には前記スライド支持軸の上下動における弾性力を調整する弾性力調整機構と、前記補助ペダルのスライド支持軸下端と前記本体ペダル上面と間に所定の遊び間隔を設定する遊び間隔調整機構とが設けられていることを特徴とする。
（４）本発明のピアノ補助ペダル装置は、前記（１）〜（３）のいずれかにおいて、前記足置台に、前記本体ペダルと前記補助ペダルとの当接状態を視認可能に形成された透明パネル部が設けられていることを特徴とする。
【発明の効果】
【００１０】
本発明によれば、足置台の前方枠内壁に進退可能に設けられピアノの本体ペダル先端に当接される可動プレートをピアノ前後方向に所定距離突出復帰させて固定するプレート位置決め機構を備えるので、ピアノ補助ペダル装置を配置する際にピアノの本体ペダルと補助ペダルとの間に適正な位置関係を規定することができる。
また、足置台に、本体ペダルと補助ペダルとの当接状態を視認可能に形成された透明パネル部が設けられているので、ピアノ補助ペダル装置をピアノ本体に正確に位置付けるためのセッティング作業を、ピアノの本体ペダルと補助ペダルとを直接観察しながら容易かつ迅速に行うことができる。
【発明を実施するための最良の形態】
【００１１】
本実施形態のピアノ補助ペダル装置は、ピアノ下部に設けられた本体ペダル上に覆設されて演奏時のペダル動作を調整する補助ペダルが備えられたピアノ補助ペダル装置であって、前記本体ペダルの上面にそのスライド支持軸下端が当接する前記補助ペダルを上下動自在に支持する足置台と、前記足置台を所定高さに設定する昇降機構を有した本体ベース部と、前記足置台の前方枠内壁に進退可能に設けられ前記本体ペダルの先端に当接される可動プレートと、前記可動プレートをピアノ前後方向に所定距離突出復帰させてその突出位置及び復帰位置で固定するプレート位置決め機構と、を備えるように構成される。これによって、可動プレートをピアノ前後方向に所定距離突出復帰させて固定するので、ピアノ補助ペダル装置を昇降機構を介して配置する際にピアノの本体ペダルと補助ペダルとの間に適正な位置関係を確保することができ、身長などが異なる演奏者であっても、ペダル操作を一定に維持して違和感なくピアノ演奏を快適に行うことができる。
【００１２】
足置台は本体ベース部により昇降自在に支持されるとともに、ピアノ前面下部に設けられた本体ペダルに配置される全体が箱型状に形成され演奏者が足を置いてピアノを演奏するための台部分であって、演奏者が足を載せるための補助ペダルに連結されたスライド支持軸を上下動可能に支持する支持受部を備えている。足置台には本体ベース部に対してその高低を所定値に調整するための高さ調整機構となる昇降機構が設けられている。足置台を昇降させる昇降機構は、演奏者の身長に合わせてその高さを動かすものであり、本体ベース部の左右側部などに設けられた昇降ノブなどを回転させることにより上下動するジャッキなどを用いて足置台を所定高さに設定することができる。
【００１３】
補助ペダルは、その基端が足置台に設けられたペダル回動支持軸に軸支されるとともに、この補助ペダル先端側の下面に連接されたスライド支持軸により上下揺動可能に配置されている。このスライド支持軸の下端側はコイルバネなどの弾性部材を介して足置台に設けられた支持軸貫通部に挿入され、この下端がピアノの本体ペダル上面にペダル押さえ部などを介して当接するようになっている。こうして、ピアノの本体ペダルとほぼ同形状に成形された補助ペダルは、足置台のペダル回動支持軸に対して揺動自在に軸支されている。
【００１４】
可動プレートは、足置台の前方枠内壁に進退可能に設けられて前記本体ペダルの先端に当接して、ピアノ補助ペダル装置をピアノ本体に対して所定位置に位置付けるための位置決め用部材である。この可動プレートをピアノ前後方向に所定距離突出復帰させてその突出位置及び復帰位置で固定することによって、ピアノ補助ペダル装置をピアノの前方位置に設定するプレート位置決め機構として機能させることができる。
【００１５】
本実施形態のピアノ補助ペダル装置は、前記可動プレートは略矩形板状に形成された左右一対の板バネ部材であって、その板バネ部材のそれぞれの水平方向の内端側が前記足置台の前方枠に固定され、その外端側が自由端となって突出自在に設けることもできる。このような板バネ部材のみによる簡単な構成でピアノ補助ペダル装置の位置決め機構を構成することができ、操作が容易で安価なピアノ補助ペダル装置を提供することができる。
【００１６】
本実施形態のピアノ補助ペダル装置は、前記補助ペダルのスライド支持軸を弾性支持する前記足置台に前記スライド支持軸の上下動における弾性力を調整する弾性力調整機構と、前記補助ペダルのスライド支持軸下端と前記本体ペダル上面と間に所定の遊び間隔を設定する遊び間隔調整機構とを設けることもできる。これらの弾性力調整機構及び遊び間隔調整機構によって、前記プレート位置決め機構により規定位置に正確に設定された足置台の補助ペダルにおける足踏み操作感を演奏者の体の大きさや、その演奏スタイルなどに合わせて適宜調整することができる。こうして、ピアノ補助ペダル装置は大人から幼児に至るまでの演奏者に、それぞれ適合してピアノ演奏を楽しむことができる演奏環境を提供することを可能としている。
【００１７】
弾性力調整機構は、補助ペダルを揺動自在に支持するスライド支持軸が貫通される足置台の支持軸貫通部に設けられたコイルバネなどの弾性部材やダンパー部材などからなり、この弾性部材やダンパー部材を所定範囲で規制するための回転調整ノブなどを備えた規制部材などで構成される。このような規制部材を操作して、演奏者はその好みに応じて、その弾性力の強さを調整することによって、みずからに適するピアノ演奏を行うことができる。
【００１８】
遊び間隔調整機構は、演奏者が補助ペダルを踏み込むときに、補助ペダルのスライド支持軸下端が本体ペダル上面に当接するまでのタイミングを調整するための機構であって、これによって、ピアノ演奏におけるペダル操作の感覚を演奏者毎に設定することができる。遊び間隔調整機構は、例えば、スライド支持軸に設けられた雄ネジ部とこのネジ部に螺合する雌ネジ部とを有して、スライド支持軸の下端位置を上下方向に規定するネジ調整部などを備えて構成することができる。
【００１９】
また、本実施形態のピアノ補助ペダル装置は、前記足置台には前記本体ペダルと前記補助ペダルとの当接状態を視認可能に形成された透明パネル部を設けることもできる。これによって、ピアノ補助ペダル装置をピアノ本体に正確に位置付けるためのセッティング作業をピアノの本体ペダルと補助ペダルとを直接観察しながら容易かつ迅速に行うことができる。すなわち、従来のピアノ補助ペダル装置のものでは、横から見ながら行っていたセッティング作業を、容易にかつ確実に行うことができる。
ここで、透明パネル部は、例えば、アクリル樹脂やポリスチレン樹脂などの樹脂材やガラス材などの素材からなる矩形状部材であって、ピアノの本体ペダルに当接されるペダル押さえ部などとの接触箇所の状況を直接観察できるようにした透明窓状部分である。
【００２０】
図１は本発明の一実施形態に係るピアノ補助ペダル装置の全体斜視図であり、図２はその正面図であり、図３はその底面図である。
図１〜図３に示すように本実施形態のピアノ補助ペダル装置１０は、略箱型状に形成された本体ベース部１１と、この本体ベース部１１上にジャッキなどの昇降機構１２を介してその高さが昇降調節自在に設けられた足置台１３と、この足置台１３上のペダル回動支持軸１４にその基端側が軸支されてその先端側が揺動自在に配設される補助ペダル１５と、この補助ペダル１５の先端側下面にその上端が固定されるスライド支持軸１６と、スライド支持軸１６の下端側がスライド挿入され足置台１３に設けられたスライド軸受部１７と、を備えている。
【００２１】
本体ベース部１１は、その側面枠などに設けられた昇降ハンドル１８を回転させることによって、足置台１３を昇降させるその内部に設けられた昇降機構１２を伸縮動作させることができる。こうして、足置台１３を本体ベース部１１上の所定高さ位置に例えば５〜２０ｃｍの範囲で設定できるようになっている。
【００２２】
足置台１３は昇降機構１２を介して本体ベース部１１に支持される演奏者の足が置かれるパネル状部分であり、その前側に設けられたペダルボックス１９のペダル回動支持軸１４に補助ペダル１５の基端が回動自在に軸支される。
その先端が湾曲して金属製アーム状に形成される補助ペダル１５は、その先端側下面にスライド支持軸１６の上端が固定されている。このスライド支持軸１６の軸部は足置台１３のスライド軸受部１７を介して上下動可能に保持されている。
【００２３】
上下動するスライド支持軸１６の下端側にはピアノＡの本体ペダルＰ１、Ｐ２にその前左右側にそれぞれ冠着されるペダル押さえ部２０、２１が配置されている。
左右のペダル押さえ部２０、２１は、図４に示すようにその前側がＬ字状に形成されてピアノの本体ペダルＰ、Ｐ２の先端が当接するペダル先端位置決め部材となる前方枠２３を備えた平板状部材である。ペダル押さえ部２０、２１は、本体ペダルＰ１、Ｐ２に対応して左右２つのものが配置され、それぞれの前方枠２３には可動プレート２４が設けられている。
【００２４】
略矩形状の板バネ材により形成された可動プレート２４の内側端２４ａは溶接により前方枠２３に固定されるとともに、その可動プレート２４の突出自在となっている外側端２４ｂにはプッシュボタン２５が設けられている。このプッシュボタン２５は可動プレート２４の自由端の突出状態を規定する操作部であって、図４に示すように、そのプッシュ状態では可動プレート２４の自由端を前方に約１〜５ｍｍの長さで押し出す位置に固定し、その非プッシュ状態では自由端を元位置に復帰させることができるようになっている。
【００２５】
なお、足置台１３におけるスライド軸受部１７の手前側近傍には透明アクリル樹脂材などにより矩形状に形成された透明パネル部１３ａが設けられている。このため、透明パネル部１３ａを透して足置台１３の内部を視認することができる。そして、足置台１３下部に配置される透明部材などでその一部が形成されたペダル押さえ部２０、２１とピアノＡの本体ペダルＰ１，Ｐ２との位置関係を確認できるようになっている。これによって、従来タイプにおいては這い蹲って横から見ながらしかできなかったピアノ補助ペダル装置におけるセッティング作業を、ピアノの本体ペダルを見ながら補助ペダルにセッティングすることで確実に行うことを可能にしている。
【００２６】
図５は以上のように構成されたピアノ補助ペダル装置１０をピアノＡの本体ペダルＰ１、Ｐ２に取り付けてピアノ演奏を行う場合の説明図である。
このピアノ補助ペダル装置１０をピアノＡに取り付けるのに先立って、まず、プッシュボタン２５をプッシュ状態に保持して、可動プレート２４の自由端を約２ｍｍ程度押し出された状態に設定しておく（図４参照）。
つぎに、図５（ａ）に示すようにピアノ補助ペダル装置１０をピアノＡの前面側に配置して、透明パネル部１３ａで足置台１３の内部を観察しながらピアノＡの前方側すなわち、ピアノＡに近接する方向に押し出す。これによって、図５（ｂ）に示すように可動プレート２４の当接面がピアノＡの下部に設けられた本体ペダルＰ１、Ｐ２の先端に当接して、その位置でピアノ補助ペダル装置１０が一旦固定される。
そして、足置台１３の左右の側面側などから手を差し入れて、プッシュボタン２５のプッシュ状態を解除して、可動プレート２４を前方枠２３の元位置に復帰させる。これによって、本体ペダルＰ１、Ｐ２の先端と可動プレート２４との間に約２ｍｍとなる空隙が設定され、図６に示すようにピアノ補助ペダル装置１０がピアノＡに正しく位置付けられてピアノ演奏が可能になるようにしている。
【００２７】
なお、補助ペダル１５のスライド支持軸１６をスライド支持するスライド軸受部１７や、ペダル回動支持軸１４には、スライド支持軸１６の上下動における弾性力を調整するための弾性力調整機構や、補助ペダルのスライド支持軸下端と本体ペダル上面と間に所定の遊び間隔を設定するための遊び間隔調整機構などを必要に応じて設けることができる。これによって、ピアノ演奏における補助ペダル１５を介したペダル操作感覚の調整を柔軟に行うことが可能でありその操作性と汎用性とに優れたものとすることも可能となっている。
なお、実施形態のピアノ補助ペダル装置１０では、本体ペダルＰ１、Ｐ２と補助ペダルのペダル押さえ部２０、２１との当接状態を視認できる透明パネル部１３ａが足置台１３の一部に設けられているので、透明パネル部１３ａを透して足置台１３の内部を観察しながら本体ベース部１１の位置決めセッティング操作を極めて容易に行うことができる。
【００２８】
以上説明したように本発明のピアノ補助ペダル装置は、本体ペダルの先端に当接される可動プレートをピアノ前後方向に所定距離突出復帰させてその突出位置及び復帰位置で固定するプレート位置決め機構を設けることによって、演奏者によるペダル操作を快適に行えるようにしたことを要旨とするものであり、これに該当するものは本発明の権利範囲に属する。例えば、本実施形態では、補助ペダルが左右２基配置されたタイプのものについて説明したが、３基タイプあるいは１基タイプの電子楽器などを含むピアノ演奏装置にも本発明のピアノ補助ペダル装置を適用することできる。
【図面の簡単な説明】
【００２９】
【図１】本発明の一実施形態に係るピアノ補助ペダル装置の全体斜視図である。
【図２】同ピアノ補助ペダル装の正面図である。
【図３】同ピアノ補助ペダル装置の底面図である。
【図４】同ピアノ補助ペダル装置の補助ペダル押さえ部の動作説明図である。
【図５】同ピアノ補助ペダル装置をピアノに取り付ける説明図である。
【図６】同ピアノ補助ペダル装置を用いた演奏形態の説明図である。
【符号の説明】
【００３０】
１０    ピアノ補助ペダル装置
１１    本体ベース部
１２    昇降機構
１３    足置台
１３ａ    透明パネル部
１４    ペダル回動支持軸
１５    補助ペダル
１６    スライド支持軸
１７    スライド軸受部
１８    昇降ハンドル
１９    ペダルボックス
２０、２１    ペダル押さえ部
２３    前方枠
２４    可動プレート
２４ａ    内側端
２４ｂ    外側端
２５    プッシュボタン
Ａ    ピアノ
Ｐ１、Ｐ２    本体ペダル
【図１】
0005178301.tif 000002
【図２】
0005178301.tif 000003
【図３】
0005178301.tif 000004
【図４】
0005178301.tif 000005
【図５】
0005178301.tif 000006
【図６】
0005178301.tif 000007